(57)【要約】      （修正有）【課題】アダプタを増設する際に、増設専用の取付パネルを必要としないアダプタを保持するための部材を提供する。【解決手段】アダプタ２を保持するためのアダプタ保持部材３であって、アダプタ保持部材３には、複数のアダプタ保持部材３を垂直方向および水平方向に係合可能とする係合部を形成した。係合部は、アダプタ保持部材３の外周面の上面に形成された上側係合部と、アダプタ保持部材３の外周面の下面に形成された下側係合部６とからなり、アダプタ保持部材３を垂直方向に係合する際、上方のアダプタ保持部材３の下側係合部６が、下方のアダプタ保持部材３の上側係合部に、アダプタ２の挿入方向に対して垂直となる方向にスライドして挿入される。【選択図】図２
2015040933.tif 000002
【特許請求の範囲】
【請求項１】
アダプタを保持するためのアダプタ保持部材であって、前記アダプタ保持部材には、複数のアダプタ保持部材を垂直方向および水平方向に係合可能とする係合部を形成したことを特徴とするアダプタ保持部材。
【請求項２】
前記係合部は、該アダプタ保持部材の外周面の上面に形成された上側係合部と、該アダプタ保持部材の外周面の下面に形成された下側係合部とからなり、前記アダプタ保持部材を垂直方向に係合する際、上方のアダプタ保持部材の下側係合部が、下方のアダプタ保持部材の上側係合部に、該アダプタの挿入方向に対して垂直となる方向にスライドして挿入されることを特徴とする請求項１記載のアダプタ保持部材。
【請求項３】
前記アダプタ保持部材を基板に取付ける際、前記下側係合部を、該基板に形成した取付孔に挿入して取付けることを特徴とする請求項２記載のアダプタ保持部材。
【請求項４】
前記上側係合部と前記下側係合部とを係合させた際に、スライド挿入方向及びスライド挿入方向に対して反対の方向への移動を規制するストッパとしての位置規制部を、前記上側係合部と前記下側係合部とに形成したことを特徴とする請求項３記載のアダプタ保持部材。
【請求項５】
前記アダプタ保持部材には、該アダプタに取付けられるコネクタの挿入方向に対して垂直となる方向に、前記アダプタをスライドして挿入するためのスライド挿入部を形成したことを特徴とする請求項１記載のアダプタ保持部材。
【請求項６】
前記スライド挿入部の形成数を、該アダプタの取付方向により異なるものとしたことを特徴とする請求項１記載のアダプタ保持部材。
【発明の詳細な説明】
【技術分野】
【０００１】
本発明は、光ファイバコードのコネクタを接続するためのアダプタを保持するアダプタ保持部材に関するものである。
【背景技術】
【０００２】
従来のアダプタの取付構造として、特許文献１のように、アダプタをアダプタ保持部材に取付けるための取付鍔部をアダプタ本体に形成し、この取付鍔部をアダプタ保持部材と取付パネルとの間に挟持するとともに、アダプタ保持部材に形成した爪部によって取付パネルの取付孔に係止させる技術が開示されている。
【０００３】
しかしながら、１つの取付パネルへのアダプタの取付個数には制限があり、アダプタを増設する際には、新規に取付孔数を増設した専用の取付パネルを製作する必要があり、コストがかかる点が問題とされている。
【先行技術文献】
【特許文献】
【０００４】
【特許文献１】特開２００９−１０９７３０号公報
【発明の概要】
【発明が解決しようとする課題】
【０００５】
本発明の目的は前記した従来の問題点を解決し、アダプタを増設する際に、増設専用の取付パネルを必要としないアダプタを保持するための部材を提供することである。
【課題を解決するための手段】
【０００６】
上記課題を解決するためになされた本発明は、アダプタを保持するためのアダプタ保持部材であって、前記アダプタ保持部材には、複数のアダプタ保持部材を垂直方向および水平方向に係合可能とする係合部を形成したことを特徴とするものである。
【０００７】
請求項２記載の発明は、請求項１記載のアダプタ保持部材において、前記係合部は、該アダプタ保持部材の外周面の上面に形成された上側係合部と、該アダプタ保持部材の外周面の下面に形成された下側係合部とからなり、前記アダプタ保持部材を垂直方向に係合する際、上方のアダプタ保持部材の下側係合部が、下方のアダプタ保持部材の上側係合部に、該アダプタの挿入方向に対して垂直となる方向にスライドして挿入されることを特徴とするものである。
【０００８】
請求項３記載の発明は、請求項２記載のアダプタ保持部材において、前記アダプタ保持部材を基板に取付ける際、前記下側係合部を、該基板に形成した取付孔に挿入して取付けることを特徴とするものである。
【０００９】
請求項４記載の発明は、請求項３記載のアダプタ保持部材において、前記上側係合部と前記下側係合部とを係合させた際に、スライド挿入方向に対して反対の方向への移動を規制するストッパとしての位置規制部を、前記上側係合部と前記下側係合部とに形成したことを特徴とするものである。
【００１０】
請求項５記載の発明は、請求項１記載のアダプタ保持部材において、前記アダプタ保持部材には、該アダプタに取付けられるコネクタの挿入方向に対して垂直となる方向に、前記アダプタをスライドして挿入するためのスライド挿入部を形成したことを特徴とするものである。
【００１１】
請求項６記載の発明は、請求項１記載のアダプタ保持部材において、前記スライド挿入部の形成数を、該アダプタの取付方向により異なるものとしたことを特徴とするものである。
【発明の効果】
【００１２】
本発明に係るアダプタ保持部材は、複数のアダプタ保持部材を垂直方向および水平方向に係合可能とする係合部を備えるものとした。これにより、アダプタを増設する際に増設専用の取付パネルを新規に製作する必要がなくなり、コストダウンが可能となる。
【００１３】
請求項２に係る発明によれば、前記係合部を、アダプタ保持部材の外周面の上面に形成した上側係合部と、アダプタ保持部材の外周面の下面に形成した下側係合部とからなるものとし、上方のアダプタ保持部材の下側係合部を、下方のアダプタ保持部材の上側係合部に、アダプタの挿入方向に対して垂直となる方向にスライドさせて挿入することで、アダプタ保持部材を垂直方向に係合できるものとした。これにより、スライド挿入後には、アダプタ保持部材どうしの前後方向および上下方向への移動が規制されるため、コネクタの挿抜作業時にアダプタ保持部材どうしの連結が解除されることを抑制することができる。
【００１４】
請求項３に係る発明によれば、下側係合部を基板に形成した取付孔に挿入することにより、アダプタ保持部材を基板に取付けるものとした。これにより、取付専用の部材を新設することなく、アダプタ保持部材を基板に取付けることが可能となる。
【００１５】
請求項４に係る発明によれば、上側係合部と下側係合部とを係合させた際に、スライド挿入方向及びスライド挿入方向に対して反対の方向への移動を規制するストッパとしての位置規制部を、上側係合部と下側係合部とに形成した。これにより、スライド挿入後には、アダプタ保持部材どうしの前後方向および上下方向への移動が規制されることに加え、左右方向の移動も規制されることとなり、アダプタ保持部材どうしをより確実に連結することが可能となる。
【００１６】
請求項５に係る発明によれば、アダプタ保持部材には、アダプタに取付けられるコネクタの挿入方向に対して垂直となる方向に、アダプタをスライドして挿入するためのスライド挿入部を形成した。これにより、コネクタの挿抜作業時にアダプタがアダプタ保持部材から外れることを防止することが可能となる。
【００１７】
なお、特許文献１の技術では、あらかじめ一定間隔をもって形成された取付孔を用いてアダプタの取付けを行うため、アダプタどうしの取付間隔を変更することができず、特にアダプタを垂直方向に増設した際には、コネクタの挿抜作業が困難となることがあった。そこで、請求項６に係る発明によれば、スライド挿入部の形成数を、アダプタの取付方向によって異なるものとしたことにより、１つのアダプタ保持部材によって２種類のアダプタ取付数およびアダプタ取付間隔を再現することが可能となる。
【図面の簡単な説明】
【００１８】
【図１】本発明の実施形態を示す斜視図である。
【図２】本発明の実施形態の外周下面を示す斜視図である。
【図３】本発明の実施形態のアダプタ保持部材の連結時を示す斜視図である。
【図４】本発明の実施形態のアダプタ保持部材の連結後を示す断面図である。
【図５】図４の拡大図である。
【図６】本発明の実施形態のアダプタ保持部材の連結後を示す斜視図である。
【図７】本発明のその他の実施形態を示す斜視図である。
【図８】本発明の実施形態の要部を示す斜視図である。
【図９】本発明の実施形態のアダプタ保持部材の内周下面を示す図である。
【図１０】本発明の実施形態のアダプタ保持部材の内周下面を示す断面図である。
【図１１】本発明の実施形態のアダプタ保持部材の基板取付時を示す図である。
【図１２】本発明の実施形態のアダプタ保持部材の基板取付後を示す図である。
【図１３】本発明の実施形態における前側へのアダプタ挿入時を示す斜視図である。
【図１４】本発明の実施形態における前側へのアダプタ挿入後を示す斜視図である。
【図１５】本発明の実施形態における後側へのアダプタ挿入時を示す斜視図である。
【図１６】本発明の実施形態における後側へのアダプタ挿入後を示す斜視図である。
【発明を実施するための形態】
【００１９】
以下に本発明の好ましい実施形態を示す。
図１に示すように、余長収納トレイ等を搭載した光ファイバユニット１からは、図示しない光ファイバコードのコネクタが引き出されており、このコネクタと、さらに外部の光ファイバコードのコネクタとが、アダプタ２を介してつきあわされ、接続が行われる。さらに、このアダプタ２はアダプタ保持部材３によって保持されて、基板４に取付けられる。
【００２０】
前記アダプタ保持部材３は、図８に示すように、前後方向に開口しており、前後の開口部からアダプタ２が挿入されるものである。このアダプタ保持部材３の外周面の上面と下面とには、複数のアダプタ保持部材３を垂直方向に係合可能とするための係合部を備えている。前記係合部は、図３に示すように、アダプタ保持部材３の外周面の上面に形成された上側係合部５と、図２に示すように、アダプタ保持部材３の外周面の下面に形成された下側係合部６とからなる。前記下側係合部６は４つの脚部７と、突起部８とを備えたものであり、脚部７はアダプタ保持部材３の外周面の下面に形成され、また突起部８は、アダプタ保持部材の外周面の下面の前端もしくは後端に１箇所形成されている。
【００２１】
上側係合部５は、脚部７をアダプタ２の挿入方向に対して垂直となる方向にスライドさせて挿入するためのスライド挿入部９と、突起部８が嵌め込まれる溝部１０とからなる。図４、および図５のように、スライド挿入部９はアダプタ保持部材３の外周面の上面に形成され、断面が略コ字状に形成されているため、アダプタ保持部材３を垂直方向に係合する際には、上方のアダプタ保持部材３の脚部７が、下方のアダプタ保持部材３のスライド挿入部９にスライド挿入されて係合することにより、前後方向および上下方向へのアダプタ保持部材の移動を規制して保持することができる。これによって、コネクタを前後方向へ挿抜する時にアダプタ保持部材３どうしの連結が解除されることを抑制することができる。また、溝部１０は延長辺１１上に凹上に形成されたものであり、上方のアダプタ保持部材３の突起部８がスライド挿入されて、下方のアダプタ保持部材３の溝部１０と係合することにより、左右方向（スライド挿入方向及びスライド挿入方向に対して反対の方向）へのアダプタ保持部材３の移動を規制して保持することができる。したがって、より強固にアダプタ保持部材３どうしを連結させることが可能となる。このように、アダプタ保持部材３を段積みして係合させることによって、基板４に対するアダプタ保持部材３の取付面積を増加させることなくアダプタ２を増設することができ、光接続箱自体の取付面積を減少させることができる。
【００２２】
前述のように、突起部８と溝部１０とは、アダプタ保持部材３の左右方向の移動を規制する位置規制部として機能するものであるが、前記突起部８は突出方向に撓むように形成されることが好ましい。これにより、アダプタ保持部材３のスライド挿入時にはアダプタ保持部材３内側に撓んだ状態でスライドし、溝部１０に係合することで撓みが解除され、左右方向の移動を規制して保持することとなる。なお、突起部８には溝部１０との係合をよりスムーズにするために、傾斜を設けてもよい。また、本実施形態では突起部８を下方に延出して形成したが、その他の実施形態として、図７のように、突起部８を前後方向の外側に向けて延出させることによって、他方のアダプタ保持部材３の溝部１０と係合するものとすることもできる。
【００２３】
本実施形態においては、延長辺１１に形成された溝部１０を、アダプタ保持部材３の前後に形成するものとしたが、これは係合する突起部８に対応して前後のいずれか一方のみに形成するものとすることもできる。さらに、溝部１０の角部に傾斜を形成し、突起部８と溝部１０との嵌抜をよりスムーズにすることもできる。
【００２４】
アダプタ保持部材３の外周面の左右側面には、係止凸辺１２と、係止凹辺１３とを形成し、隣接するアダプタ保持部材３どうしを連結した際に、外力によるアダプタ保持部材３の前後方向の撓みを軽減できるものとした。
【００２５】
なお、本実施形態では上側係合部５と下側係合部６を、アダプタ保持部材３の外周面の上面と下面とに形成するものとしたが、これを左右側面に形成するものとして、複数のアダプタ保持部材３を水平方向に係合することもできる。
【００２６】
また、基板４には、アダプタ保持部材３の下側係合部６が挿入される取付孔２６が形成されており、取付孔２６は、脚部７がはじめに挿入される大孔１４と、大孔１４から連続して形成された小孔１５と、突起部８が係合する溝部１６とからなる。本実施形態のアダプタ保持部材３を基板４に取付ける際には、図１１のように脚部７を基板４の大孔１４に挿入し、左右方向にスライドさせて小孔１５に移動させることにより、図１２の状態とし、さらに突起部８が溝部１６と係合することにより、アダプタ保持部材３を基板４に固定することができる。したがって、下側係合部６を基板取付部として利用することが可能となり、これにより、取付専用の部材を新設することなく、アダプタ保持部材３を基板４に取付けることが可能となる。
【００２７】
以上のように、本発明は、図６のように複数のアダプタ保持部材３を垂直方向および水平方向に係合可能とする係合部を備えるものとしたことにより、アダプタ２を増設する際に増設専用の取付パネルを新規に製作する必要がなくなり、コストダウンが可能となる。
【００２８】
アダプタ２は、図８のように外形を四角状としたアダプタ本体１７の周縁のうち、上下板部１８、１８の外面の前後中央に対称となる位置に、取付鍔部１９を突出形成したものである。なお、アダプタ２としては、取付鍔部１９に形成したネジ挿通孔２０を利用して、アダプタ２を単体で取付パネルの取付孔にネジ止めするものである既製品を、そのまま使用することができる。
【００２９】
図９および図１０のように、アダプタ保持部材３の内周面の上面および下面には、アダプタ２の取付鍔部１９を挿入、保持するためのスライド挿入部２１が上下対称に複数形成されている。前記スライド挿入部２１は、取付鍔部１９の前面と後面とをそれぞれ保持する２つの立上辺２２、２２と、両立上辺２２、２２間の空間部であり取付鍔部１９を案内する溝部２３と、取付鍔部１９の一側面を保持する立上止め辺２４と、挿入したアダプタ２の抜け止めとしての撓み部２５とからなり、それぞれがアダプタ保持部材３の上下面から垂直内側の方向に延びて形成されている。
【００３０】
したがって、アダプタ保持部材３にアダプタ２を取り付ける際には、アダプタ２をアダプタ保持部材３の前後方向に挿入し、取付鍔部１９を撓み部２５に当接させる。次いで撓み部２５を押圧して撓ませて、取付鍔部１９をアダプタ２の挿入方向に対して垂直となる方向、つまり本実施形態では左右方向にスライドさせることによって、スライド挿入部２１に挿入する。取付鍔部１９がスライド挿入部２１に完全に挿入されると、撓み部２５の撓みが解除され、アダプタ２がアダプタ保持部材３に取付けられる。したがって、コネクタの抜き差し作業によってアダプタ２がアダプタ保持部材３から外れることもなくなる。
【００３１】
本実施形態においては、図１３、および図１４のように前側に２つのアダプタ２を取り付けるための２箇所のスライド挿入部２１を備え、また図１５、および図１６のように後側に３つのアダプタ２を取り付けるための３箇所のスライド挿入部２１を備えるものとした。これにより、アダプタ２の挿入方向を変更することにより、アダプタ２の取付数を変更することができ、１つのアダプタ保持部材３で２種類のアダプタ取付数とアダプタ取付間隔とを実現することができる。したがって、アダプタ保持部材３を垂直方向に段積みした際、下側のアダプタ２やコネクタの作業性が低下する場合には、アダプタ２の取付数および取付間隔を変更することによって十分な作業スペースを確保することができる。なお、前記スライド挿入部２１の形成数は、これに限定されるものではない。
【符号の説明】
【００３２】
１  光ファイバユニット
２  アダプタ
３  アダプタ保持部材
４  基板
５  上側係合部
６  下側係合部
７  脚部
８  突起部
９  スライド挿入部
１０  溝部
１１  延長辺
１２  係止凸辺
１３  係止凹辺
１４  大孔
１５  小孔
１６  溝部
１７  アダプタ本体
１８  上下板部
１９  取付鍔部
２０  ネジ挿通孔
２１  スライド挿入部
２２  立上辺
２３  溝部
２４  立上止め辺
２５  撓み部
２６  取付孔
【図１】
2015040933.tif 000003
【図２】
2015040933.tif 000004
【図３】
2015040933.tif 000005
【図４】
2015040933.tif 000006
【図５】
2015040933.tif 000007
【図６】
2015040933.tif 000008
【図７】
2015040933.tif 000009
【図８】
2015040933.tif 000010
【図９】
2015040933.tif 000011
【図１０】
2015040933.tif 000012
【図１１】
2015040933.tif 000013
【図１２】
2015040933.tif 000014
【図１３】
2015040933.tif 000015
【図１４】
2015040933.tif 000016
【図１５】
2015040933.tif 000017
【図１６】
2015040933.tif 000018